(57)【要約】【課題】コイル線の層数が奇数の場合でも生産性に優れ、小型化が可能なトランスを実現することを目的とする。【解決手段】コイルボビンの両端にツバ部を設け、一方の第１のツバ部２には複数の端子３と、複数の第１の引き出し溝４とを設け、他方の第２のツバ部５は２重ツバからなり、巻枠部７に接している下側ツバ部６を第１のツバ部２の一端側にコイル線を引き出すための複数の第２の引き出し溝８を設けるとともに、下側ツバ部６の他端側に切り欠き溝９を設け、巻枠部７へ巻配されるコイル線の層数が奇数層の際に、巻き終わりのコイル線を第２の下側ツバ部６の切り欠き溝９より、２重ツバの間の引き出し巻枠１０に約半周して、第２の引き出し溝８および第１の引き出し溝４を介して複数の端子３の１つに接続固定した構成を有している。【選択図】　図１
2004087778.tif 000002
【特許請求の範囲】
【請求項１】
コイルボビンの巻枠部にコイル線を巻配して磁心を組み込んでなるトランスにおいて、前記コイルボビンの両端にツバ部を設け、一方の第１のツバ部には複数の端子と、前記コイルボビンの巻枠部に巻配されるコイル線を引き出す為の複数の第１の引き出し溝とを設け、他方の第２のツバ部は２重ツバからなり前記巻枠部に接している下側ツバ部は前記第１のツバ部の一端側に前記コイル線を引き出す為の複数の第２の引出し溝を設けるとともに、このツバ部の他端側に切り欠き溝を設け、前記巻枠部へ巻配されるコイル線の層数が奇数層の際に、巻き終わりのコイル線を前記第２の下側ツバ部の切り欠き溝より、前記２重ツバの間の引き出し巻枠に約半周して、前記第２の引き出し溝および前記第１の引き出し溝を介して前記複数の端子の一つに接続固定されることを特徴とするトランス。
【請求項２】
前記第２の下側ツバ部は第１のツバ部に設けられたコイル線が接続されるべき端子とは反対側に複数の切り欠き溝を設け、この切り欠き溝と前記複数の第２の引き出し溝との間にそれぞれ引き出し溝を設け、この引き出し溝間は絶縁壁によって仕切られた請求項１に記載のトランス。
【請求項３】
前記コイルボビンは装着されるべき基板に端子を介して平行に設置され、且つ前記コイルボビンに巻配されるコイル線に接続される前記複数の端子を下辺に有することを特徴とする請求項１に記載のトランス。
【発明の詳細な説明】
【０００１】
【発明の属する技術分野】
本発明は各種電子機器に使用されるトランスに関するものである。
【０００２】
【従来の技術】
従来のコイルボビンにコイル線を巻配する場合、コイル線の層数が偶数であると、巻き始めのコイル線と巻き終わりのコイル線とが共に端子側ツバ部に位置するため、コイル線の端子への接続が容易となるが、コイル線の層数が奇数となると、コイル線の巻き終わりが接続する端子側と相対するツバ部に位置する為、そのコイル線を端子に接続する為には巻き終わりの部分を固定する必要があった。
【０００３】
図７は従来のトランスの斜視図を示すものである。図８は図７の半断面図である。図７、図８において２１は磁心、２２は第１のツバ部、２３は端子、２４は第１の引き出し溝、２５は第２のツバ部、２６は切り欠き溝、２７は半田付け部、２８は巻き始めのコイル線、２９は巻き終わりのコイル線、３０は安全規格上の絶縁距離を示すものである。
【０００４】
図において、コイル線の巻数が奇数の場合、第２のツバ部２５に巻き終わりのコイル線２９を引っ掛けるための切り欠き溝２６を設け、その溝より端子側の第１の引き出し溝２４を介して端子２３へ接続する構成となっている。
【０００５】
又、上述の内容以外でコイル線の巻き終わり部分を固定する方法として、巻配されたコイル線上にテープを巻付けるという方法もある。
【０００６】
【発明が解決しようとする課題】
しかしながら、上記従来例においては、コイルボビンの端子２３側と相対する第２のツバ部２５にコイル線を引っ掛けるための切り欠き溝２６を設けるようにした場合、磁心２１と切り欠き溝２６に引っ掛けられた巻き終わりのコイル線２９との安全規格上の絶縁距離３０を保つことが必要となり、それを確保する為には第２のツバ部２５の形状を大きくしなければいけないといった問題があった。
【０００７】
本発明は上記従来の課題を解決するもので、コイルボビンに巻配されるコイル線の層数が奇数の場合においても、小型化したトランスを提供することを目的とするものである。
【０００８】
【課題を解決するための手段】
上記目的を達成するために、本発明は以下の構成を有するものである。
【０００９】
本発明の請求項１に記載の発明は、コイルボビンにコイル線を巻配して磁心を組み込んでなるトランスにおいて、前記コイルボビンの両端にツバ部を設け、一方の第１のツバ部には複数の端子と、前記コイルボビンの巻枠部に巻配されるコイル線を引き出すための複数の第１の引き出し溝とを設け、他方の第２のツバ部は２重ツバからなり、前記巻枠部に接している下側ツバ部に前記第１のツバ部の一端側に前記コイル線を引き出すための複数の第２の引き出し溝を設けるとともに、同ツバ部の他端側に切り欠き溝を設け、前記巻枠部へ巻配されるコイル線の層数が奇数層の際に、巻き終わりのコイル線を前記第２の下側ツバ部の切り欠き溝より、２重ツバの間の引き出し巻枠に約半周して、前記第２の引き出し溝および前記第１の引き出し溝を介して前記複数の端子の１つに接続固定された構成によって、巻き終わりのコイル線と磁心との安全規格上の絶縁距離を第２のツバ部を介して確保できるため、この絶縁距離を直線的に取らなくて済み小型化になる。
【００１０】
本発明の請求項２に記載の発明は、前記第２の下側ツバ部は前記第１のツバ部に設けられたコイル線を接続されるべき端子とは反対側に複数の切り欠き溝を設け、この複数の切り欠き溝と前記複数の第２の引き出し溝の間にそれぞれ引き出し巻枠を設ける。この複数の引き出し巻枠の間には絶縁壁によって仕切られた構成となっており、磁心を介して両側の端子に接続されるコイル線は絶縁壁によって異なるコイル線どうしの安全規格上の絶縁距離を確保できる。
【００１１】
本発明の請求項３に記載の発明は、前記コイルボビンは装着されるべき基板に端子を介して平行に設置され、かつ前記コイルボビンに巻配されるコイル線に接続される前記複数の端子を下辺に有し、前記２重ツバの前記切り欠き溝より、前記２重ツバの間の引き出し巻枠に約半周して、前記第２の引き出し溝および前記第１の引き出し溝を介して前記複数の端子の１つに接続固定された構成によって、基板上の高さが問題となる場合、コイルボビンの中で大きい部分の巻枠部を基板と平行に設置することにより高さが低くなり、また巻き終わりのコイル線と磁心との安全規格上の絶縁距離を第２のツバ部を介して確保できるため、この絶縁距離を直線的に取らなくて済み小型化となる。
【００１２】
【発明の実施の形態】
（実施の形態１）
以下、実施の形態１を用いて、本発明の特に請求項１〜２に記載の発明について説明する。
【００１３】
図１は本発明の実施の形態１を示すトランスの分解斜視図である。
【００１４】
図２は同実施の形態におけるトランスの斜視図、図３は図２の半断面図である。
【００１５】
成型樹脂からなるコイルボビンの巻枠部７に銅材等のコイル線を巻配して磁心１を組み込んでなるトランスにおいて、前記コイルボビンの両端にツバ部を設け、一方の第１のツバ部２には複数の端子３と、前記コイルボビンの巻枠部７に巻配されるコイル線を引き出すための複数の第１の引き出し溝４とを設け、他方の第２のツバ部５は２重ツバからなり、前記巻枠部７に接している下側ツバ部６を前記第１のツバ部２の一端側に前記コイル線を引き出すための複数の第２の引き出し溝８を設けるとともに、前記下側ツバ部６の他端側に切り欠き溝９を設け、前記巻枠部７へ巻配されるコイル線の層数が奇数層の際に、巻き終わりのコイル線１３を前記第２の下側ツバ部６の前記切り欠き溝９より、前記２重ツバの間の引き出し巻枠１０に約半周して、前記第２の引き出し溝８および前記第１の引き出し溝４を介して前記複数の端子３の１つに接続固定された構成としている。
【００１６】
この実施の形態１によれば、第２のツバ部５によって、巻き終わりのコイル線１３と磁心１との安全規格上の絶縁距離１５を確保できる。
【００１７】
また、前記第２の下側ツバ部６は前記第１のツバ部２に設けられたコイル線を接続されるべき端子３とは反対側に複数の切り欠き溝９を設け、前記複数の切り欠き溝９と前記複数の第２の引き出し溝８の間にそれぞれ引き出し巻枠１０を設け、前記複数の引き出し巻枠１０の間には絶縁壁１４によって仕切られた構成としている。
【００１８】
これによれば、磁心１を介して両側の端子３に接続されるコイル線を絶縁壁１４によって異なるコイル線どうしの安全規格上の絶縁距離１５を確保できる。又、本実施の形態では、巻き終わりのコイル線を固定するためのテープを使用しないため安価になり、手作業による工程が無くなる生産性が向上するという効果も得られる。
【００１９】
（実施の形態２）
以下、実施の形態２を用いて、本発明の特に請求項３に記載の発明について説明する。
【００２０】
図４は本発明の実施の形態２を示すトランスの分解斜視図である。
【００２１】
図５は本発明の実施の形態２におけるトランスの斜視図、図６は図５の半断面図である。尚、実施の形態１の構成と同様の構成を有するものについては、同一符号を付してその説明を省略する。
【００２２】
図４において、実施の形態１と相違する点は、前記コイルボビンは装着されるべき基板に端子３を介して平行に設置され、かつ前記コイルボビンに巻配されるコイル線に接続される前記複数の端子３を下辺に有する点である。
【００２３】
この構成により前記２重ツバの切り欠き溝９より、前記２重ツバの間の引き出し巻枠１０に約半周して、前記第２の引き出し溝８および前記第１の引き出し溝４を介して前記複数の端子３の１つに接続固定された構成としている。
【００２４】
この実施の形態２においても、第２のツバ部５によって、巻き終わりのコイル線１３と磁心１との安全規格上の絶縁距離１５を確保できる。
【００２５】
【発明の効果】
以上のように本発明によれば、コイル線の層数が奇数の場合において、ツバ部にコイル線を引っ掛けるための切り欠き溝を設けないので安全規格上の絶縁距離を直線的に取らないため小型化できるようになるものである。又、巻き終わりのコイル線を固定するためのテープを使用しないため安価となり、手作業による工程が無くなることでさらに生産性が向上する。
【図面の簡単な説明】
【図１】本発明の実施の形態１を示すトランスの分解斜視図
【図２】同トランスの斜視図
【図３】同トランスの半断面図
【図４】本発明の実施の形態２を示すトランスの分解斜視図
【図５】同トランスの斜視図
【図６】同トランスの半断面図
【図７】従来のトランスの斜視図
【図８】同トランスの半断面図
【符号の説明】
１　磁心
２　第１のツバ部
３　端子
４　第１の引き出し溝
５　第２のツバ部
６　第２の下側ツバ部
７　巻枠部
８　第２の引き出し溝
９　切り欠き溝
１０　引き出し巻枠
１４　絶縁壁
【図１】
2004087778.tif 000003
【図２】
2004087778.tif 000004
【図３】
2004087778.tif 000005
【図４】
2004087778.tif 000006
【図５】
2004087778.tif 000007
【図６】
2004087778.tif 000008
【図７】
2004087778.tif 000009
【図８】
2004087778.tif 000010